(57)【要約】【課題】  メダル投入口から挿入する不正器具を使用した不正行為を阻止する。【解決手段】  メダル３８が投入されていない状態では、移動部材５１は捩りバネ５２の付勢力によって、案内通路３５を塞いでいる接触位置にある（Ａ）。メダル３８が投入されると、案内通路３５を流下するメダル３８によって、移動部材５１は下方に押されて、回動軸５６を中心に反時計方向に回動する（Ｂ）。メダル３８の通過に伴って、移動部材５１は開き位置まで回動する（Ｃ）。移動部材５１が回動して接触位置から退避位置へ回動することで、不正検出センサ５５は腕部５１ｂを検出して移動信号を出力する。この移動信号が継続して出力されている継続時間をタイマで計測するとともに、この継続時間が所定時間を経過しているか否かが判定される。所定時間を経過したと判定されると、不正器具が挿入されている可能性があると判定してスピーカから警報音が発せられる。【選択図】        図５
2005237943.tif 000002
【特許請求の範囲】
【請求項１】
投入口から投入された遊技媒体を案内通路を通して遊技媒体検知器に送り、この遊技媒体検知器により、投入された遊技媒体が検知される遊技機において、
前記案内通路の少なくとも一部を遮蔽し、前記案内通路の遊技媒体に接触する接触位置と、遊技媒体との接触により接触位置から退避する退避位置とに移動自在である移動部材と、
前記移動部材を退避位置から接触位置に向けて付勢する付勢部材と、
前記移動部材が退避位置にあることを検知する移動検知手段と、
前記移動検知手段によって継続して前記移動部材が検知されている継続時間を計測する計時手段と、
前記計時手段で計測された継続時間が所定時間を越えたか否かを判定し、越えたときに異常信号を出力する判定手段と、
前記異常信号を受けて警告を行う警告手段とを備えたことを特徴とする遊技機。
【請求項２】
前記継続時間が予め設定されている予定時間を経過したときに、前記遊技媒体検知器が遊技媒体を検知していない場合には、前記警告手段が異常を警告することを特徴とする請求項１記載の遊技機。
【請求項３】
投入された遊技媒体を一定の方向に流下させる案内通路を備えた遊技機において、
一端部が前記案内通路の少なくとも一部を遮蔽して前記案内通路を流下する遊技媒体に接触する接触位置と前記一端部が前記接触位置から退避する退避位置との間で揺動し、自重によって前記接触位置で保たれる揺動部材と、
前記一端部が前記接触位置に位置しているときに、前記一端部とは反対側の他端部を検知する揺動検知手段と、
前記揺動検知手段によって継続して前記他端部が検知されている継続時間を計測する計時手段と、
前記計時手段で計測された継続時間が所定時間を越えたか否かを判定する判定手段とを設けたことを特徴とする遊技機。
【請求項４】
前記一端部の遊技媒体と接触する部分に、前記揺動部材が退避位置に位置している状態で、先端が遊技媒体の流下する方向の下流側を向いた爪を設けたことを特徴とする請求項３記載の遊技機。
【発明の詳細な説明】
【技術分野】
【０００１】
本発明は、パチンコ店などの遊技場に設置して使用される遊技機に関するものである。  
【背景技術】
【０００２】
パチンコ店などの遊技場に設置して使用されるスロットマシンには遊技媒体としてメダルが使用されている。メダルには一定の価値が与えられ、遊技者は遊技場に設置されたメダル貸し機に紙幣を投入してその投入額に応じたメダルの貸し出しを受ける。遊技者はメダルをスロットマシンの投入口に投入してゲームを行い、ゲームを行って得たメダルは適宜の景品と交換することができる。メダルに価値が付与されていることに伴い、スロットマシンにはメダルセレクタが組み込まれ、投入口から適正なメダルが投入されたときにゲームを開始させ、不適正なメダルが投入されたときにはこれを排除してゲームを行うことができないようにしてある。
【０００３】
メダルセレクタは、メダルの投入口から投入され所定の案内通路を通ってきたメダルについて、材質、外径、重量などによってその適否を判別する。そして、適正なものは貯留タンクにつながるメダル通路へと送り、不正規なものはメダル通路から分岐した排出シュートを経て受皿に排出する。メダルセレクタには一般にメダルセンサが組み込まれ、メダル通路に送り込むメダルの枚数を計数してスロットマシンの動作を電気的に管制する制御回路にその枚数情報を送る。制御回路はその枚数情報を受け、投入された枚数に応じて入賞ラインの有効本数を決め、あるいは連続して多数のメダルが投入されたときにはクレジット用のカウンタで加算する。
【発明の開示】
【発明が解決しようとする課題】
【０００４】
ところが、遊技者の中には、このようなスロットマシンに対して不正行為を行うものがいる。例えば、セルロイドなどで長い薄板状に形成された不正器具をメダル投入口から挿入し、メダルセレクタに設けられたメダルセンサの位置まで巧みにこの不正器具を通し、あたかもメダルがメダル通路を転動してきたかの如くメダルセンサに不正器具を検知させ、実際にメダルを投入していないにも関わらず、クレジットを加算させて遊技を行ったり、遊技を一度も行わずに、クレジットに加算されたメダル枚数を払い出す不正行為が行われることがあった。
【０００５】
本発明は、上記問題点を解決するためになされたものであり、不正器具を投入口から挿入し、不正規に遊技媒体検知器を誤検知させる不正行為を阻止できる遊技機を提供することを目的とする。
【課題を解決するための手段】
【０００６】
上記目的を達成するために、本発明の遊技機は、投入口から投入された遊技媒体を案内通路を通して遊技媒体検知器に送り、この遊技媒体検知器により、投入された遊技媒体が検知される遊技機において、前記案内通路の一部を遮蔽し、案内通路の遊技媒体に接触する接触位置と、遊技媒体との接触により接触位置から退避する退避位置とに移動自在である移動部材と、前記移動部材を退避位置から接触位置に向けて付勢する付勢部材と、前記移動部材が退避位置にあることを検知して移動信号を出力する移動検知手段と、前記移動検知手段によって継続して前記移動部材が検知されている継続時間を計測する計時手段と、前記計時手段で計測された継続時間が所定時間を越えたか否かを判定し、越えたときに異常信号を出力する判定手段と、前記異常信号を受けて警告を行う警告手段とを備えたものである。さらに、前記継続時間が予め設定されている予定時間を経過したときに、前記遊技媒体検知器が遊技媒体を検知していない場合には、前記警告手段が異常を警告することが好ましい。
【０００７】
また、上記目的を達成するために、本発明の遊技機は、投入された遊技媒体を一定の方向に流下させる案内通路を備えた遊技機において、一端部が前記案内通路の少なくとも一部を遮蔽して前記案内通路を流下する遊技媒体に接触する接触位置と前記一端部が前記接触位置から退避する退避位置との間で揺動し、自重によって前記接触位置で保たれる揺動部材と、前記一端部が前記接触位置に位置しているときに、前記一端部とは反対側の他端部を検知する揺動検知手段と、前記揺動検知手段によって継続して前記他端部が検知されている継続時間を計測する計時手段と、前記計時手段で計測された継続時間が所定時間を越えたか否かを判定する判定手段とを設けたものである。
【０００８】
なお、前記一端部の遊技媒体と接触する部分に、前記揺動部材が退避位置に位置している状態で、先端が遊技媒体の流下する方向の下流側を向いた爪を設けることが好ましい。
【発明の効果】
【０００９】
本発明によれば、案内通路の少なくとも一部を遮蔽し、案内通路の遊技媒体に接触する接触位置と、遊技媒体との接触により接触位置から退避する退避位置とに移動自在である移動部材と、移動部材を退避位置から接触位置に向けて付勢する付勢部材と、移動部材が退避位置にあることを検知して移動信号を出力する移動検知手段と、前記移動検知手段によって継続して前記移動部材が検知されている継続時間を計測する計時手段と、前記計時手段で計測された継続時間が所定時間を越えたか否かを判定し、越えたときに異常信号を出力する判定手段と、異常信号を受けて警告を行う警告手段とを備えたことにより、投入口から不正器具が挿入された場合には、案内通路を通過する遊技媒体とは異なり、不正器具が案内通路に留まって移動部材を接触位置から退避位置に移動し続けるので、継続時間が所定時間を超えて異常を知らせる警告が発せられ、不正器具により遊技媒体検知器を誤検知させる不正行為を阻止することができる。
【００１０】
また、計時手段による継続時間が予め設定されている予定時間を経過したときに、遊技媒体検知器が遊技媒体を検知していない場合には、警告手段が異常を警告することにより、遊技媒体が投入されずに不正器具を挿入して不正行為が試みられていることがわかるので、不正行為を阻止することができる。
【００１１】
また、一端部が前記案内通路の少なくとも一部を遮蔽して前記案内通路を流下する遊技媒体に接触する接触位置と前記一端部が前記接触位置から退避する退避位置との間で揺動し、自重によって前記接触位置で保たれる揺動部材と、前記一端部が前記接触位置に位置しているときに、前記一端部とは反対側の他端部を検知する揺動検知手段と、前記揺動検知手段によって継続して前記他端部が検知されている継続時間を計測する計時手段と、前記計時手段で計測された継続時間が所定時間を越えたか否かを判定する判定手段とを設けたので、投入口から不正器具が挿入されると、不正器具が案内通路に留まって揺動部材を退避位置で保持し続けるので、継続時間が所定時間を超えた場合に不正器具が挿入されたことを検出することができる。
【００１２】
前記一端部の遊技媒体と接触する部分に、前記揺動部材が退避位置に位置している状態で、先端が遊技媒体の流下する方向の下流側を向いた爪を設けたので、不正器具が挿入された場合には、不正器具を引き抜くときに爪の先端に不正器具が引っ掛かるので、不正器具を引き抜くことが困難になり、また、無理に不正器具を引き抜いたときに不正器具を破損させることができる。これにより、同じ不正器具を用いた不正行為の再発を防止できる。
【発明を実施するための最良の形態】
【００１３】
図１は、本発明のスロットマシン（遊技機）２の外観を示す斜視図である。このスロットマシン２は、リールユニットや電源装置等を備えた筐体３と、この筐体３の前面に回動自在に設けられる上扉５及び下扉６とから構成される。上扉５には表示窓７が設けられ、表示窓７の奥に第１リール９ａ，第２リール９ｂ，第３リール９ｃが回転自在に組み込まれている。周知のように、これら第１〜第３リール９ａ〜９ｃの外周には様々な絵柄が一定ピッチで配列され、リールが停止した状態では対応する表示窓７を通して１リール当たり３個の絵柄が観察されるようになっている。これら表示窓７の側方にはＬＣＤパネル１２が配置されている。このＬＣＤパネル１２は、ゲーム時に演出用の画像や動画を表示させることによる演出等を行うために設けられている。
【００１４】
表示窓７及びＬＣＤパネル１２の下方の下扉６には操作パネル１３が設けられている。この操作パネル１３には、ＭＡＸベットボタン１４、１ベットボタン１５の他に、ストップボタン１６ａ〜１６ｃ、スタートレバー１７、ペイアウトボタン１８等の各種の操作ボタンが設けられている。また、ＬＣＤパネル１２の下方の操作パネル１３には、遊技媒体であるメダルを投入するメダル投入口２０が設けられている。なお、これら操作ボタンやスタートレバー１７の機能については周知であるため、詳細については省略する。さらに、操作パネル１３の下方には、スロットマシン２で遊技を行って入賞を得られた場合に、その入賞に対する配当枚数のメダルを払い出すための払出し口２１、及びメダル受け皿２２が設けられている。
【００１５】
図２に示すように、筐体３内の上部には、リールユニット２５が載置されている。リールユニット２５は、第１〜第３リール９ａ〜９ｃを各ステッピングモータとともにユニット化したもので、各ステッピングモータの駆動及び停止制御用のＩＣを実装したモータ駆動基板や、各リールの回転中にリールの基準位置に設けられた信号片の通過を検知するフォトセンサも組み込まれている。筐体３内の下部には、ホッパー装置２８と電源装置２９が載置されている。ホッパー装置２８は、スロットマシン２で遊技を行って入賞を得た場合に作動し、入賞に対するメダルをメダル受け皿２２に払い出す。このホッパー装置２８の上部には、メダル投入口２０から投入されたメダル及び払出し用のメダルを貯留する貯留タンク３０が設けられている。
【００１６】
上扉５の背面には、表示窓７の上部にＬＣＤパネル１２及び電飾用の発光ダイオードを制御する表示部３１が組み込まれている。下扉６の背面、かつメダル投入口２０の下部にはセレクタ３２が設けられている。メダル投入口２０とセレクタ３２は、後述する案内通路３５によって連通されており、案内通路３５とセレクタ３２の前面を覆うように、通路カバー３３が設けられている。また、下扉６の下部で払出し口２１の両側には、ゲーム中に音楽や音声を発するスピーカ３４が設けられている。
【００１７】
図３に示すように、下扉６のメダル投入口２０の下部には案内通路３５が設けられている。案内通路３５は、下扉６の背面でメダル投入口２０及びセレクタ３２に設けられたメダル通路３６に連通されている。図４に示すように、セレクタ３２に設けられたメダル通路３６は、垂直路３６ａ、傾斜路３６ｂ、屈曲路３６ｃから構成されている。垂直路３６ａは案内通路３５と連通しており、投入されたメダル３８を垂直方向３６ａに落下させる。傾斜路３６ｂは、垂直路３６ａから落下してきたメダル３８を斜め下方に転動させる。屈曲路３６ｃは、傾斜路３６ｂを転動してきたメダル３８の転動方向を図４において、右方向に略９０°変更させるためにくの字形状をしている。これにより、下扉６が閉じられると、屈曲路３６ｃが貯留タンク３０の上部に配置される。そのため、投入されたメダル３８は案内通路３５からメダル通路３６を転動して貯留タンク３０に貯留される。
【００１８】
図４に示すように、セレクタ３２は、本体基部４０、メダル通路３６、ガイド板４１、遊技媒体検知器である第１メダルセンサ４２と第２メダルセンサ４３等から構成されている。傾斜路３６ｂと平行する上側には、傾斜路３６ｂの上側の一部を形成するガイド板４１が設けられている。ガイド板４１は、傾斜路３６ｂ側に配置された一方の端面４１ａで傾斜路３６ｂを転動通過するメダル３８の頂部をガイドし、端面４１ａの上方に配置された他方の端面４１ｂには、軸部４１ｃと図示しないソレノイド及びバネが設けられている。
【００１９】
図４に示すように、ガイド板４１はソレノイドの励磁作用とバネの復元力によって、軸部４１ｃを回動支点としてメダル３８をガイドするガイド位置（図中実線の位置）と、メダル３８を傾斜路３６ｂから脱落させる排出位置（図中波線の位置）の間で回動自在に設けられている。メダル３８が投入される場合には、ソレノイドがオンとなり、励磁作用が働くことで、ガイド板４１はガイド位置となる。このガイド位置において、メダル３８は傾斜路３６ｂの壁面とガイド板４１の内側面との間を転動する。また、クレジットが上限まで加算されている場合や、ゲーム実行中などではソレノイドがオフとなり、ガイド位置にあったガイド板４１はバネの復元力によって排出位置に回動する。これにより、垂直路３６ａから傾斜路３６ｂに転動してきたメダル３８は、ガイド板４１によってガイドされないために、図中矢印方向に脱落して、本体基部４０と通路カバー３３（図２参照）の間を落下して、払出し口２１から払い出される。なお、メダル３８の進行方向において、案内通路３５、垂直路３６ａ及び傾斜路３６ｂのガイド板４１以降の通路は、通路カバー３３によって塞がれているために、投入されたメダル３８がガイド板４１以降の通路から脱落することはない。
【００２０】
また、傾斜路３６ｂの屈曲路３６ｃ側の壁面には、第１メダルセンサ４２及び第２メダルセンサ４３が設けられている。第１及び第２メダルセンサ４２、４３は、例えば、投光部と受光部とを一体に備えた反射型の光電センサであって、垂直路３６ａ側から順に第１メダルセンサ４２、第２メダルセンサ４３の順で設けられている。メダル３８が傾斜路３６ｂを通過する際に、第１メダルセンサ４２や第２メダルセンサ４３の投光部の光路を遮蔽すると、投光部から投射した光がメダル３８に反射する。この反射光が受光部で受光されると、光電センサはオン状態となる。また、メダル３８が投光部の光路上にないと、受光部では反射光を受光できないためにオフ状態となる。なお、第１及び第２メダルセンサ４２、４３の取り付け位置としては、メダル３８が傾斜路３６ｂを転動する際に、必ず第１及び第２メダルセンサ４２、４３によってメダル３８を同時に検知できる所定の間隔が設けられており、さらに、メダル３８が連続投入された場合には、１枚のメダル３８を第１及び第２メダルセンサ４２、４３で同時に検知した後に、必ず第１及び第２メダルセンサ４２、４３の各々が一度はオフ状態（光路上にメダルがない状態）になってから次のメダル３８を同時に検知できるような位置に設けられている。
【００２１】
図３に示すように案内通路３５には、メダル投入口２０から挿入されたセルロイド板などの不正器具を検知する不正検知部４９が設けられている。この不正検知部４９は、案内通路３５に設けられた退避室５０、移動部材５１、付勢部材である捩りバネ５２と、移動検知手段である不正検知センサ５５等から構成されている。
【００２２】
退避室５０は、案内通路５０の側壁から下扉６側（図中左側）に突出するように、断面形状が略コの字型に形成されており、略コの字型の開口は案内通路３５の側壁面に設けられている。退避室５０の下面には、移動検知手段である不正検出センサ５５が設けられている。不正検出センサ５５は、反射型光電センサである。また、退避室５０の上部には移動部材５１が設けられている。
【００２３】
移動部材５１は、略直方体形状の基部５１ａと腕部５１ｂから構成されている。図３に示すように、退避室５０の右側面の上部、かつ案内通路３５の近傍には、案内通路３５の長手方向に沿って回転軸５６が設けられている。基部５１ａは、その左右側面の図中奥側に設けられた軸穴に回転軸５６を嵌入しており、移動部材５１は、回転軸５６を中心に回動自在となっている。基部５１の左側面から突出した回転軸５６には、捩りバネ５２が取り付けられる。捩りバネ５２は、その輪の部分を回転軸５６に挿入し、回転軸５６の上側に配置された捩りバネ５２の端部５２ａを退避室５０の上面に当接させ、回転軸５６の下側に配置された捩りバネ５２の端部５２ｂを基部５１の左側面に設けられたバネ突起５８に当接させている。これにより、移動部材５１には回転軸５６を中心に時計方向に付勢力が働くので、基部５１ａの手前側の端部５１ｃが通路カバー３３（図２参照）からなる案内通路３５の壁面に当接しているので、基部５１ａの上面で案内通路３５をほぼ塞ぐように配置されている。また、基部５１ａの下面には、この基部５１ａからセレクタ３２の方向に突出した腕部５１ｂが設けられている。
【００２４】
図５（Ａ）に示すように、メダル３８が投入されていない状態では、移動部材５１は捩りバネ５２の付勢力によって、基部５１ａの端部５１ｃを通路カバー３３からなる案内通路３５の側壁に当接させた接触位置にある。メダル投入口２０からメダル３８が投入されると、図５（Ｂ）に示すように、案内通路３５を落下するメダル３８は、案内通路３５を塞いでいる移動部材５１を下方に押す。これにより、移動部材５１は回転軸５６を中心に反時計方向に回動する。すると、図５（Ｃ）に示すように、基部５１ａの端部は退避室５０に向かって移動し、移動部材５１は退避位置に回動する。これにより、接触位置から回動した移動部材５１の腕部５１ｂは、退避室５０に設けられた不正検知センサ５５によって検知される。また、メダル３８が案内通路３５を通過すると、移動部材５１は捩りバネ５２の付勢力によって再び図５（Ａ）に示す接触位置に回動する。なお、捩りバネ５２の付勢力は、投入されたメダル３８によって移動部材５１を退避位置に回動可能であり、メダル３８が案内通路３５を通過後には素早く移動部材５１を退避位置から接触位置に回動させる強さを有している。また、不正検知センサ５５は、薄いセルロイド板などが挿入されて、移動部材５１を接触位置から退避位置に僅かに回動させても、腕部５１ｂを検知可能な位置に設けられている。
【００２５】
図６はスロットマシン２の電気的構成を示すブロック図である。スロットマシン２には、このスロットマシン２を統括的に制御する制御部６５が設けられている。制御部６５は、制御処理を実行するＣＰＵ６７と、このＣＰＵ６７が処理するデータを格納するＲＯＭ６８とワークエリアとしてのＲＡＭ６９の他、タイマ７０が設けられている。
【００２６】
第１メダルセンサ４２及び第２メダルセンサ４３は、メダル通路３６を転動してきたメダル３８をそれぞれ検知して、検知信号をＣＰＵ６７に送信する。ＣＰＵ６７は第１及び第２メダルセンサ４２、４３で同時に検知信号が検知された際に、メダル３８を１枚計数してクレジットカウンタ７１に記憶させる。このように、投入されたメダル枚数は、第１及び第２メダルセンサ４２、４３の検知信号から計数され、クレジットカウンタ７１に加算して記憶される。また、ＣＰＵ６７は、ＭＡＸベットボタン１４又は１ベットボタン１５の押下により出力されるクレジット投入信号に基づいて、例えば、１枚から３枚のメダル３８をクレジットカウンタ７１に記憶されたメダル枚数から減算し、減算されたメダル３８をベットしてゲームを実行可能にする。
【００２７】
スタートレバー１７が押下操作されると、ゲームの開始信号をＣＰＵ６７に入力する。ゲーム開始信号を受信すると、ＣＰＵ６７はＲＯＭ６８に格納された遊技実行プログラムに基づいてリール駆動コントローラ７２に指令を送り、第１〜第３リール９ａ〜９ｂを回転させるとともに遊技処理を開始し、この処理されたフラグやデータ等がＲＡＭ６９に一時記憶される。
【００２８】
リール駆動コントローラ７２は、リールの駆動及び停止制御を行っている。第１〜第３リール９ａ〜９ｃは各々ステッピングモータが駆動軸に固着されており、各ステッピングモータの駆動を制御することで第１〜第３リール９ａ〜９ｃの回転及び停止制御が行われている。
【００２９】
第１〜第３ストップボタン１６ａ〜１６ｃの内部にはセンサが設けられている。第１〜第３ストップボタン１６ａ〜１６ｃが操作されると、各センサからＣＰＵ６７にリール停止信号が送信される。スタートレバー１７を操作して第１〜第３リール９ａ〜９ｃの回転が開始された場合に、これらの回転が定常速度に達した時点で第１〜第３ストップボタン１６ａ〜１６ｃの操作が有効化される。その後、これらを操作することによって、各ストップボタンに対応する第１〜第３リール９ａ〜９ｃの停止制御が行われる。
【００３０】
払出し部７５は、クレジットカウンタ７１に記憶されているメダル枚数を筐体３の外部に払い出す際にホッパー装置２８を制御する。遊技中に当選役に入賞した際に、その当選役に対応する配当メダル数をクレジットカウンタ７１に加算して記憶する。ペイアウトボタン１８が押下されると、ＣＰＵ６７から払出し信号が払出し部７５に送られる。この払出し信号を受けて、払出し部７５はホッパー装置２８を制御して、クレジットカウンタ７１に記憶されていたメダル枚数と同じ枚数のメダル３８を計数しながら払出し口２１から払い出す。
【００３１】
不正検知センサ５５は、案内通路３５の接触位置にある移動部材５１が退避位置に移動したことを検知するものである。投入されたメダル３８が案内通路３５を通過する際に、メダル３８は移動部材５１を接触位置から退避位置に回動させる。この時、不正検知センサ５５は、移動部材５１に設けられた腕部５１ｂを検知してＣＰＵ６７に移動信号を送信する。          
【００３２】
計時手段であるタイマ７０は、不正検知センサ５５が腕部５１ｂを継続して検知している時間を計時する。退避室５０で腕部５１ｂが不正検知センサ５５によって検知されると、不正検知センサ５５は、腕部５１ｂを検知している間、継続してＣＰＵ６７に移動信号を出力する。ＣＰＵ６７は、タイマ７０で移動信号が継続して出力されている時間を計時する。タイマ７０によって計時される継続時間は、ＣＰＵ６７に逐次に送信される。また、メダル３８の通過後に移動部材５１が退避位置から接触位置へ回動すると、腕部５１ｂを検知していた不正検知センサ５５は、移動信号の出力を停止する。これにより、ＣＰＵ６７は、移動信号の停止とともにタイマ７０の計時を停止させてリセットを行う。
【００３３】
判定手段であるＣＰＵ６７では、タイマ７０からの継続時間とＲＯＭ６８に記憶されている所定時間を逐次に比較して、継続時間が所定時間を経過したか否かの判定を行っている。この所定時間としては、予めメダル３８の連続投入を行い、この連続投入可能なメダル枚数が案内通路３５を通過する時間を計測しておき、この計測時間に基づいて所定時間を決定する。例えば、連続投入可能なメダル枚数が１０枚の時に、案内通路３５を通過する時間が７秒だとすると、この測定時間より少し長い時間の８秒位に所定時間を設定するのが適当である。なお、本実施形態では連続投入可能枚数を１０枚、所定時間を８秒と設定したが、連続投入枚数や所定時間は適宜に決定され、これに限定されるものではない。      
【００３４】
ＣＰＵ６７によって、継続時間が所定時間を経過していないと判定された場合には、正規にメダル３８が投入されたとして、ＣＰＵ６７はゲームの実行を可能にする。また、ＣＰＵ６７によって、継続時間が所定時間を経過したと判定した場合には、メダル投入口から正規にメダル３８が投入された場合とは異なり、不正器具が案内通路３５に留まって、移動部材５１を接触位置から退避位置に回動させている可能性があるとして異常信号を出力し、その時点で、警告手段である音声発声部８０と表示部３１に異常信号を出力する。この警報信号を受けて音声発声部８０は、スピーカ３４から警報音を発し、表示部３１はＬＣＤパネル１２に不正行為を知らせる画像を表示させる。
【００３５】
次に、上記構成のスロットマシン２の作用について、図７のフローチャートを用いて説明を行う。メダル投入口２０からメダル３８が投入されると、案内通路３５をメダル３８が通過する際に、メダル３８よって移動部材５１が接触位置から退避位置へ回動する。これにより、不正検知センサ５５によって移動部材５１の腕部５１ｂが検知される。腕部５１ｂを検知すると不正検知センサ５５からＣＰＵ６７に移動信号が送信される。ＣＰＵ６７はこの移動信号の受信に伴って、タイマ７０を起動させて移動信号の継続時間を計測する。タイマ７０による継続時間が所定時間と比較され、逐次に継続時間が所定時間を経過したか否かを判定する。移動部材５１が退避位置から接触位置へ回動すると、不正検知センサ５５が腕部５１ｂを検知しなくなる。そのため、タイマ７０は継続時間の計測を停止するとともにタイマ７０をリセットする。継続時間が所定時間を経過したと判定された場合には、メダル投入口２０から不正器具が挿入されており、案内通路３５に不正器具が留まることで、移動部材が接触位置から退避位置に移動していることを不正検知センサ５５に検知されている可能性があるとして、スピーカ３４から警報音を発すると共にＬＣＤパネル１２には不正行為を知らせる画像を表示させる。
【００３６】
なお、上記実施形態では、移動部材５１が接触位置から退避位置に移動したことを不正検知センサ５５で検知し、退避位置に回動している継続時間が所定時間を経過したか否かを判定して不正器具の使用を阻止したが、これに加えて、投入されたメダル３８が移動部材５１を退避位置に回動させてから、第１及び第２メダルセンサ４２、４３によって予定時間内に検知されたか否かの判定を行うことを組み合わせて、不正器具の使用を阻止してもよい。この場合、第２の実施形態として、図８に示すように、スロットマシンの制御部６５に新たに経過タイマ８２を設け、予定時間内にメダル３８が検知されたか否かを判定手段であるＣＰＵ８１に行わせる。なお、上記実施形態を同一構成部材には同一の符号を付して説明は省略する。
【００３７】
図５（Ｂ）に示すように、移動部材５１が接触位置から退避位置に回動した際に、不正検知センサ５５が腕部５１ｂを検知した時点から予め設定された予定時間を計時する経過タイマ８２が制御部６５に設けられている（図８参照）。メダル３８がメダル投入口２０から投入され、移動部材５１を接触位置から退避位置に回動させたときに、経過タイマ８２は不正検知センサ５５から出力される移動信号を受ける。この移動信号を受けると、経過タイマ８２は予め設定された予定時間の計時を開始する。ＣＰＵ６７では、計時される予定時間内に第１及び第２メダルセンサ４２、４３によってメダル３８が検知されたか否かの判定を行う。予定時間内に第１及び第２メダルセンサ４２、４３によってメダル３８が検知されない場合には、音声発生部８０及び表示部３１に異常信号が出力されてスピーカ３４から警報音を発すると共に、ＬＣＤパネル１２には不正行為を知らせる画像を表示させる。
【００３８】
上記第２の実施形態での作用を図９を用いて説明する。メダル投入口からメダル３８が投入されると、移動部材５１が接触位置から退避位置に回動することで、不正検知センサ５５によって腕部５１ｂが検知され、移動信号がＣＰＵ８１に送られる。移動信号を受けたＣＰＵ８１は、タイマ７０及び経過タイマ８２を起動させる。タイマ７０では、不正検知センサ５５が腕部５１ｂを継続して検知している継続時間を計測し、逐次にＣＰＵ８１に送信する。さらに、不正検知センサ５５からの移動信号に基づいて、経過タイマ８２では予め設定された予定時間の計時を開始する。この予定時間としては、メダル投入口２０から投入されたメダル３８が、案内通路３５を通過する際に移動部材５１を接触位置から退避位置に回動させてから、傾斜路３６ｂに設けられた第１及び第２メダルセンサ４２、４３まで転動する時間を予め計測して設定されたものである。なお、投入されるメダル３８の形状が変形していたり、メダル３８にごみが付着していることによって、案内通路３５、垂直路３６ａ及び傾斜路３６ｂを円滑に転動しなかった場合を考慮して、予定時間は計測した時間より少し長くすることが好ましい。
【００３９】
ＣＰＵ８１は、経過タイマ８２で計時される予定時間内に第１及び第２メダルセンサ４２、４３がメダル３８を検知したか否かを判定する。予定時間内に第１及び第２メダルセンサ４２、４３からＣＰＵ８１に検知信号が送信されると、正規にメダル３８が投入されたと判定する。予定時間内に第１及び第２メダルセンサ４２、４３からＣＰＵ８１に検知信号が送信されない場合には、メダル投入口２０から不正器具が挿入され、案内通路３５で移動部材５１を接触位置から退避位置に移動させたまま、不正行為を試みていると判定してスピーカ３４から警報音を発し、ＬＣＤパネル１２には不正行為が行われたことを知らせる画像が表示される。
【００４０】
さらに、予定時間内にメダル３８が通過したか否かの判定とともに、不正検知センサ５５による腕部５１ｂの検知されている継続時間と所定時間の判定が行われる。タイマ７０で計測された継続時間は、逐次にＣＰＵ８１で所定時間を経過したか否かの判定が行われる。もし、継続時間が所定時間を経過したと判定された場合には、不正器具が使用された可能性があると判定して、スピーカ３４から警報音を発し、ＬＣＤパネル１２には不正行為を知らせる画像が表示される。また、予定時間内にメダル３８の検知信号をＣＰＵ６７を受信するとともに、継続時間が所定時間を経過していないときには、正規にメダル３８が投入されたと判定して遊技の開始が可能となる。これにより、不正器具をメダル投入口２０から挿入する不正行為を試みたことを監視することができるので、不正行為を阻止することができる。
【００４１】
また、上記第２の実施形態では、タイマ７０によって継続時間を計時して、この継続時間が所定時間を経過したか否かを判定するとともに、不正検知センサ５５からの移動信号に基づいて、経過タイマ８２によって予定時間の計時を行い、この予定時間内に第１及び第２メダルセンサ４２，４３がメダル３８を検知するか否かの判定を行ったが、経過タイマ８２だけを備え、予定時間内に第１及び第２メダルセンサ４２、４３がメダル３８を検知するか否かを判定して、遊技を可能にしたり又は警報を発してもよい。
【００４２】
なお、不正検知センサ５５は、反射型の光電センサを用いたが、マイクロスイッチや近接センサ等の確実に接触位置から回動した移動部材５１を検知できるものであればよい。また、移動部材５１の形状も、本実施形態の形状に限らず、接触位置では確実に案内通路３５を通過するメダル３８または不正器具と接触して移動部材が回動し、退避位置ではメダル３８の通過に支障がなく、不正検知センサで検知されるものであればよい。
【００４３】
また、不正行為を検知した際に、スピーカ３４及びＬＣＤパネル１２によって警告したが、その他にも、スロットマシン２の全ての動作を強制的に停止させたり、スタートレバー１７やストップボタン１６ａ〜１６ｃ等の一部の操作を禁止してもよい。
【００４４】
次に第３の実施形態について説明する。なお、上記実施形態と同一の機能を有する部分には、同一の符号を用いて説明を省略する。図１０に示すように、案内通路３５には、メダル投入口２０から挿入されたセルロイド板などの不正器具を検知する不正検知部１００が設けられている。不正検知部１００は、案内通路３５に隣接して設けられた退避室１０１、揺動部材１０２、不正検知センサ１０３を備えている。
【００４５】
退避室１０１は退避室５０と同様に略コの字型に形成され、退避室５０と同一の位置に配置されているが、その体積が退避室５０よりも大きくなっている。退避室１０１の案内通路３５と対面する面には、略コの字型の不正検出センサ１０３が設けられている。不正検出センサ１０３の一方の腕には発光素子１０３ａ、他方の腕には受光素子１０３ｂが互いに対面するように取り付けられている。受光素子１０３ｂが発光素子１０３ａからの光を受光すると、光を受光していることを示す受光信号がＣＰＵ６７に入力される。
【００４６】
揺動部材１０２は、板状の部材を略への字型に折り曲げた形状になっており、その屈曲している部分の両側面に一対の軸１０２ａが設けられている。軸１０２ａは軸方向が退避室１０１の幅方向と平行になるように退避室１０１の両側面に取り付けられている。これにより、揺動部材１０２は軸１０２ａを支点に、一端部１０２ｂが案内通路３５を遮蔽して案内通路３５を流下するメダル３８に接触する接触位置（図１１（Ａ）に示す位置）と一端部１０２ｂが接触位置から退避する退避位置（図１１（Ｃ）に示す位置）との間で揺動自在になっている。
【００４７】
一端部１０２ｂの上面には爪１０２ｃが複数形成されている。爪１０２ｃは、揺動部材１０２が退避位置に位置している状態で、先端がメダル３８の流下する方向の下流側を向くように形成されている。また、爪１０２ｃは軸１０２ａ側から一端部１０２ｂ側に向けて次第に突出する量が大きくなるように傾斜して形成されている。
【００４８】
また、軸１０２ａを介して一端部１０２ｂと反対側の他端部１０２ｄの下面にはおもり１０４が取り付けられている。おもり１０４は柱状に形成されており、他端部１０２ｄの下面の端部に、他端部１０２ｄの幅方向に沿って取り付けられている。外力が作用しない状態では、揺動部材１０２は、おもり１０４の重量を含めた自重によって接触位置で保たれる。
【００４９】
他端部１０２ｄの上面には、その面方向と直交する方向に突出した板状の被検知部材１０５が設けられている。被検知部材１０５は、揺動部材１０２が退避位置に移動したときに、不正検出センサ１０３の発光素子１０３ａと受光素子１０３ｂとの間に移動するように配置されている。被検知部材１０５が発光素子１０３ａと受光素子１０３ｂとの間に移動すると、発光素子１０３ｂからの光が被検知部材１０５によって遮られ、受光素子１０３ｂは光を受光しなくなる。
【００５０】
次に、上記した第３の実施形態での作用について説明する。図１１（Ａ）に示すように、メダル３８が投入されていない状態では、揺動部材１０２は、自重によって接触位置で保たれる。
【００５１】
図１１（Ｂ）に示すように、メダル投入口２０からメダル３８が投入されると、案内通路３５を流下するメダル３８が一端部１０２ｂを下方に押圧する。メダル３８によって一端部１０２ｂが押圧されると揺動部材１０２は軸１０２ａを中心に図中反時計方向に揺動する。
【００５２】
図１１（Ｃ）に示すように、流下するメダル３８が揺動部材１０２と対面すると、メダル３８によって押圧された揺動部材１０２は退避位置に移動する。このとき、被検知部材１０５は不正検出センサ１０３の発光素子１０３ａと受光素子１０３ｂとの間に移動し、発光素子１０３ａの光が遮られて受光素子１０３ｂが光を受光しなくなる。
【００５３】
すなわち、図１２に示すように、メダル３８が投入され、被検知部材１０５が受光素子１０３ｂと発光素子１０３ａとの間を遮って、受光素子１０３ｂが発光素子１０３ａからの光を受光しなくなると、受光素子１０３ｂからの受光信号がＣＰＵ６７に入力されなくなる。これにより、ＣＰＵ６７は不正検出センサ１０３により他端部１０２ｄが検知されていることを検出する。これに応答して、ＣＰＵ６７はタイマ７０を起動させて、不正検出センサ１０３によって継続して他端部１０２ｄが検出されている継続時間を計測する。そして、ＣＰＵ６７は、ＲＯＭ６８から予め設定された所定時間を読み出し、タイマ７０により計測された継続時間が所定時間を経過したか否かを判定する。所定時間は、メダル３８が通過したときに揺動部材１０２が退避位置に位置する時間と略同一に設定されている。このため、タイマ７０により計測された継続時間が所定時間を経過したか否かを判別することによって、不正器具が挿入されて揺動部材１０２が退避位置で保たれている可能性があるか否かが識別される。
【００５４】
メダル３８が通過して揺動部材１０２が接触位置から退避位置に揺動した場合は、タイマ７０により計測された継続時間が所定時間を経過する前に、揺動部材１０２が退避位置から接触位置に揺動する。このため、ＣＰＵ６７は、案内通路３５をメダル３８が通過したことを識別し、タイマ７０の計測を停止させるとともにタイマ７０によって計測された継続時間をリセットする。
【００５５】
タイマ７０により計測された継続時間が所定時間を経過したことが判定された場合には、メＣＰＵ６７は、ダル投入口２０から不正器具が挿入されて揺動部材１０２が退避位置で保たれている可能性があることが識別する。そして、ＣＰＵ６７は、スピーカ３４から警報音を出力させると共にＬＣＤパネル１２には不正行為を知らせる画像を表示させる。不正器具が挿入された場合には、不正器具をメダル投入口２０から引き抜くときに爪１０２ｃの先端に不正器具が引っ掛かるので、不正器具を引き抜くことが困難になり、また、無理に不正器具を引き抜いたときに不正器具を破損させることができる。これにより、不正器具を用いた不正行為の再発を防止できる。
【００５６】
上記第３の実施形態では、おもり１０４を用いることによって揺動部材１０２が接触位置で保たれるようにしたが、例えば他端部を一端部よりも重い材料にし、一端部と他端部とを連結する、あるいは、揺動の支点の位置を調整するなど、適宜の方法で揺動部材１０２が接触位置で保たれるようにしてよい。
【００５７】
上記第３の実施形態では、揺動部材１０２を板状の部材で略への字型に形成したが、揺動部材１０２の形状は、一端部が案内通路の少なくとも一部を遮蔽することが可能で他端部を揺動検知手段によって検知することが可能であれば、適宜の形状にしてよい。
【００５８】
上記第３の実施形態では、一端部１０２ｂの上面に爪１０２ｃを形成したが、爪１０２ｃは、揺動部材１０２が退避位置に位置している状態で、先端がメダル３８の流下する方向の下流側を向いていれば適宜の形状に形成してよい。なお、挿入された不正器具を引き抜くことを困難にする方法として、例えば一端部１０２ｂの上面にゴム性のシートを貼り付けるなど、揺動部材の一端部の遊技媒体が接触する部分に摩擦係数の高い高摩擦部材を設けることも有効である。高摩擦部材の材料は、その摩擦係数が不正器具が高摩擦部材と案内通路３５の壁面と挟み込まれたときに不正器具を引き抜くことを困難になるものにすることが好ましい。これにより、挿入された不正器具を高摩擦部材と案内通路３５の壁面とで挟み込んで不正器具を引き抜くことを困難にすることができる。
【図面の簡単な説明】
【００５９】
【図１】本発明のスロットマシンの外観を示す斜視図である。
【図２】スロットマシンに内部を示す斜視図である。
【図３】不正検知部を示す斜視図である。
【図４】セレクタの構成を示す斜視図である。
【図５】移動部材の接触位置と退避位置への回動を説明する平面図である。
【図６】スロットマシンの電気的構成を示すブロック図である。
【図７】不正器具の検知する流れを示すフローチャートである。
【図８】第１及び第２メダルセンサを組み合わせて不正器具を検知する際の電気的構成を示すブロック図である。
【図９】第１及び第２メダルセンサを組み合わせて不正器具を検知する流れを示すフローチャートである。
【図１０】第３の実施形態の不正検知部を示す斜視図である。
【図１１】揺動部材の接触位置と退避位置への揺動を説明する平面図である。
【図１２】第３の実施形態の不正検知部で不正器具の検知する流れを示すフローチャートである。
【符号の説明】
【００６０】
２  スロットマシン（遊技機）
２０  メダル投入口
３１  表示部（警告手段）
３２  セレクタ
３４  スピーカ
３５  案内通路
３６  メダル通路
３８  メダル（遊技媒体）
４２  第１メダルセンサ（遊技媒体検知手段）
４３  第２メダルセンサ（遊技媒体検知手段）
５１  移動部材
５２  捩りバネ（付勢部材）
５５  不正検知センサ（移動検知手段）
６７  ＣＰＵ（判定手段）
７０  タイマ（計時手段）
７１  クレジットカウンタ
８０  音声発生部（警告手段）
８２  経過タイマ
１０２  揺動部材
１０２ｂ  一端部
１０２ｃ  爪
１０２ｄ  他端部
１０３  不正検知センサ（揺動検知手段）
１０４  おもり
【図１】
2005237943.tif 000003
【図２】
2005237943.tif 000004
【図３】
2005237943.tif 000005
【図４】
2005237943.tif 000006
【図５】
2005237943.tif 000007
【図６】
2005237943.tif 000008
【図７】
2005237943.tif 000009
【図８】
2005237943.tif 000010
【図９】
2005237943.tif 000011
【図１０】
2005237943.tif 000012
【図１１】
2005237943.tif 000013
【図１２】
2005237943.tif 000014